(57)【要約】【課題】柔軟性を確保できると共に、多種多様な充填物を外部から透視でき、装飾性に優れ、しかも歩く際などに充填物が動くという面白みのある鼻緒、甲被部とこれを用いた履物を提供する。【解決手段】草履または下駄の鼻緒の全長中の一部または全部にわたり透明または半透明の中空部を設け、中空部には鉱物素材、樹脂素材、植物素材、その他の素材の一種以上の組合せからなる充填物を中空部内で可動状態に充填する。サンダルまたは履物の甲被部の全長中の一部または全部にわたり透明または半透明の中空部を設け、中空部には鉱物素材、樹脂素材、植物素材、その他の素材の一種以上の組合せからなる充填物を中空部内で可動状態に充填する。【選択図】  図５
2004267457.tif 000002
【特許請求の範囲】
【請求項１】
草履または下駄の鼻緒であって、鼻緒の全長中の一部または全部にわたり透明または半透明の中空部が設けられ、中空部には一種以上の組合せからなる充填物が中空部内で可動状態に充填されたことを特徴とする鼻緒。
【請求項２】
サンダルまたは履物の甲被部であって、甲被部の全長中の一部または全部にわたり透明または半透明の中空部が設けられ、中空部には一種以上の組合せからなる充填物が中空部内で可動状態に充填されたことを特徴とする甲被部。
【請求項３】
請求項１に記載の草履または下駄の鼻緒が設けられた履物。
【請求項４】
請求項２に記載のサンダルまたは履物の甲被部が設けられた履物。
【請求項５】
請求項３または４のいずれかに記載の発明において、
前記の鼻緒または甲被部の透明または半透明の中空部は、伸縮性を有する軟質合成樹脂製の透明又は半透明チューブからなることを特徴とする履物。
【請求項６】
請求項３〜５のいずれかに記載の発明において、
前記の中空部に充填される充填物には、鉱物素材、樹脂素材、植物素材、その他の素材の内の一以上の素材からなる飾り片が含まれたことを特徴とする履物。
【請求項７】
請求項６に記載の発明において、
前記の鉱物素材には、金属、鉱物、石、砂、ガラスの内の一以上の素材からなる飾り片が含まれたことを特徴とする履物。
【請求項８】
請求項６に記載の発明において、
前記の樹脂素材には、ビーズからなる飾り片が含まれたことを特徴とする履物。
【請求項９】
請求項６に記載の発明において、
前記の植物素材には、花びら、蕾み、葉、木片、紙の内の一以上からなる飾り片が含まれたことを特徴とする履物。
【請求項１０】
請求項６に記載の発明において、
前記のその他素材には、貝殻からなる飾り片が含まれたことを特徴とする履物。
【請求項１１】
請求項１〜１０のいずれかに記載の発明において、
前記の中空部には、液体充填物が充填されたことを特徴とする履物。
【請求項１２】
請求項１〜１１のいずれかに記載の発明において、
前記の中空部は、仕切られて複数の中空部に分かれていることを特徴とする履物。
【請求項１３】
請求項１〜１２のいずれかに記載の発明において、
前記の中空部１２は、履いた際に足の甲を透けて見えないようにするためは、上側に位置する部分のみが透明または半透明にされたことを特徴とする履物。
【発明の詳細な説明】
【０００１】
【発明の属する技術分野】
本発明は、草履または下駄の鼻緒、サンダルまたは履物の甲被部、および履物に関する。
【０００２】
【従来の技術】
従来、草履、ビーチサンダルなどの履物においては、様々な装飾をすることが行われている。
たとえば、鼻緒に花の飾りをつけたりするような例である。
実開平６−８２９０８「履物の鼻緒」においては、履き違え防止及びファッション性装飾を兼ねた履物の鼻緒が提案されている。
草履の鼻緒には横方向に貫通させて嵌孔が設けられ、鼻緒の嵌孔に装飾具を着脱自在に取付けたものである。履物のファッション性のある装飾として、また、履物の目じるし・標識としての機能を果たすことが意図されている。
【０００３】
一方、履物以外の分野においては、この他にも下記のような装飾が提案されている。
実用新案登録第３０７４７９９号「ブレスレット」においては、伸縮性を有する合成樹脂製の透明又は半透明のチューブ内に、蛍光・蓄光塗料等で着色した紙・樹脂等の星の砂、太陽の砂、着色ビーズ、ガラス等の充填物を挿入した装飾リングが開示されており、また、実用新案登録第３０４９０８０号「装飾リング」においては、伸縮性を有する合成樹脂製の透明又は半透明のチューブ内に、蛍光・蓄光塗料等で着色した紙・樹脂等の着色装飾体を挿入した装飾リングが提案されている。
【０００４】
【発明が解決しようとする課題】
ところで、履物の鼻緒や、サンダルの甲被部などは、耐久性を必要とし、さらに弾力性に富み、伸縮を可能にする、感触がソフトで足の指や甲になじむような素材が用いられている。したがって、素材の種類が限定されるために装飾方法にも限りがあった。
またたとえば、合成樹脂材等を使用して、横緒部分は平板状に前緒部分は指間に入る大きさの略横断面楕円形の柱形に一体成形したものが使用されている。したがって、素材の形状が限定されるために装飾方法にも限りがあった。
【０００５】
実用新案登録第３０７３４２６号「鼻緒」においては、鼻緒が弾力性に富み、強度にも優れ、皮膚の弱い人が安心して素足にて履用する鼻緒が提案されている。
ゴムのチューブで鼻緒の外筒を形成し、筒の内部には強度を上げる為に内側に、ビーズなどの固形化した物を一本化して、それを筒内部に挿通して、鼻緒を形成したものである。
これにより、ビーズの装飾を鼻緒の内部に設けることができるが、ビーズは筒の内部に固定されたままであり、それ以上の装飾性は見られない。
【０００６】
そこで、上記の様々な課題を解決し、本発明においては、柔軟性を確保できると共に、充填物を外部から透視でき、多種多様な充填物を可動状態に充填することにより、装飾性に優れ、しかも歩く際などに充填物が動くという面白みのある効果がある鼻緒、甲被部、およびこれらを備えた草履その他の履物を提供することを目的とする。
また、断面の全周を透明または半透明にすることもでき、あるいは履いたときに上側に位置する部分のみを透明または半透明にすることもできる鼻緒、甲被部、およびこれらを備えた草履その他の履物を提供することを目的とする。
また、充填物として、固体、液体を含む、様々な素材、色彩、形状などからなるものを採用し、多様な装飾をすることが可能な鼻緒、甲被部、およびこれらを備えた草履その他の履物を提供することを目的とする。
【０００７】
【課題を解決するための手段】
上記課題を解決するため、請求項１に記載の発明においては、
草履または下駄の鼻緒であって、鼻緒の全長中の一部または全部にわたり透明または半透明の中空部が設けられ、中空部には一種以上の組合せからなる充填物が中空部内で可動状態に充填された鼻緒であることを特徴としている。
【０００８】
また、上記課題を解決するため、請求項２に記載の発明においては、
サンダルまたは履物の甲被部であって、甲被部の全長中の一部または全部にわたり透明または半透明の中空部が設けられ、中空部には一種以上の組合せからなる充填物が中空部内で可動状態に充填された甲被部であることを特徴としている。
【０００９】
また、上記課題を解決するため、請求項３に記載の発明においては、
請求項１に記載の草履または下駄の鼻緒が設けられた履物であることを特徴としている。
【００１０】
また、上記課題を解決するため、請求項４に記載の発明においては、
請求項２に記載のサンダルまたは履物の甲被部が設けられた履物であることを特徴としている。
【００１１】
また、上記課題を解決するため、請求項５に記載の発明においては、
請求項３または４のいずれかに記載の発明において、
前記の鼻緒または甲被部の透明または半透明の中空部は、伸縮性を有する軟質合成樹脂製の透明又は半透明チューブからなる履物であることを特徴としている。
【００１２】
また、上記課題を解決するため、請求項６に記載の発明においては、
請求項３〜５のいずれかに記載の発明において、
前記の中空部に充填される充填物には、鉱物素材、樹脂素材、植物素材、その他の素材の内の一以上の素材からなる飾り片が含まれた履物であることを特徴としている。
【００１３】
また、上記課題を解決するため、請求項７に記載の発明においては、
請求項６に記載の発明において、
前記の鉱物素材には、金属、鉱物、石、砂、ガラスの内の一以上の素材からなる飾り片が含まれた履物であることを特徴としている。
【００１４】
また、上記課題を解決するため、請求項８に記載の発明においては、
請求項６に記載の発明において、
前記の樹脂素材には、ビーズからなる飾り片が含まれた履物であることを特徴としている。
【００１５】
また、上記課題を解決するため、請求項９に記載の発明においては、
請求項６に記載の発明において、
前記の植物素材には、花びら、蕾み、葉、木片、紙の内の一以上からなる飾り片が含まれた履物であることを特徴としている。
【００１６】
また、上記課題を解決するため、請求項１０に記載の発明においては、
請求項６に記載の発明において、
前記のその他素材には、貝殻からなる飾り片が含まれた履物であることを特徴としている。
【００１７】
また、上記課題を解決するため、請求項１１に記載の発明においては、
請求項１〜１０のいずれかに記載の発明において、
前記の中空部には、液体充填物が充填された履物であることを特徴としている。
【００１８】
また、上記課題を解決するため、請求項１２に記載の発明においては、
請求項１〜１１のいずれかに記載の発明において、
前記の中空部は、仕切られて複数の中空部に分かれている履物であることを特徴としている。
【００１９】
また、上記課題を解決するため、請求項１３に記載の発明においては、
請求項１〜１２のいずれかに記載の発明において、
前記の中空部１２は、履いた際に足の甲を透けて見えないようにするためは、上側に位置する部分のみが透明または半透明にされた履物であることを特徴としている。
【００２０】
【発明の実施の形態】
以下、本発明の実施の形態について図面を参照して説明する。
図１は、本発明の鼻緒の基本的な構成の一例を示す図である。
本発明の第一の実施形態は、草履または下駄の鼻緒であって、通常は伸縮性を有する軟質素材により構成されるものである。
図１および以後に示す各図において、符号１０は鼻緒、１１は甲被部、１２は中空部、２０は充填物を示している。
【００２１】
図１を参照すると、鼻緒１０の全長中の一部または全部にわたり透明または半透明の中空部１２が設けられている。
中空部１２は、透明または半透明の素材から形成されており、中空部１２の内部が外部から観察可能にされている。好ましくは、中空部１２は、伸縮性を有する塩化ビニル、ポリエチレン又はポリプロピレン等の軟質合成樹脂製の透明または半透明チューブから構成される。
【００２２】
図２および図３は、それぞれ中空部１２の断面の一例を示す図である。
中空部１２は、断面形状を円、楕円、長円、矩形、その他の様々な形状とすることができる。チューブ形状とした場合の中空部１２は、好ましくは断面が外径数ｍｍから１ｃｍ程度であって、伸縮性を有し、しかも弾力性及び適度の柔軟性を備え、変形させても容易に復元するものである。また好ましくは足指が掛かる部分の外径は指の間に収まるように太すぎず、かといって指の間が痛くならないように細すぎないことが好ましい。また足の甲にあたる部分は、細すぎず、またずれにくくしかも痛くないように、甲に当たる部分は扁平に近い形状するなどしてもよい。
【００２３】
図４、図５および図６は、本発明の鼻緒の別の構成を示す図である。
図４は中空部１２の断面の一例を示す図であって、鼻緒の中空部１２は、図２および図３と同様にチューブ状などの円形断面をしているが、断面の全周が透明または半透明にはされておらず、履いたときに上側に位置する部分が透明または半透明にされている。一方、履いたときに下側に位置し、足の甲に触れる部分は、扁平に近い形状をなし、履いた際には目に触れないので透明または半透明ではなくても支障はない。
図６も中空部１２の断面の一例を示す図であって、鼻緒の中空部１２は、図２および図３に示すように断面の全周が透明または半透明にはされておらず、履いたときに上側に位置する部分が透明または半透明にされている。一方、履いたときに下側に位置し、足の甲に触れる部分は、中空部とは別の部材からなる鼻緒１０が中空部１２に固着され、扁平に近い形状をなし、履いた際には目に触れないので透明または半透明ではなくても支障はない。
【００２４】
次に、中空部１２には一種以上の組合せからなる充填物２０が中空部１２内で可動状態に充填されている。
伸縮性を有する軟質合成樹脂製の透明又は半透明のチューブ内に、後述する充填物２０が挿入され、チューブが鼻緒の一部または全部を形成してその両端部が草履または下駄の本体に固着されている。このような構成にすることにより、柔軟性を確保できると共に、充填物２０を外部から透視でき、多種多様な充填物２０を可動状態に充填することにより、装飾性に優れ、しかも歩く際などに充填物が動くという面白みのある効果が生じる。
【００２５】
請求項１に記載の発明は、草履または下駄の鼻緒１０であって、請求項３に記載の発明は、草履または下駄の鼻緒１０が設けられた履物である。
履物の形状や、素材、その他の構成は、様々なものを採用することができる。
図７は、本発明の一対の履物の一例を示す斜視図である。
【００２６】
また、本発明の各実施形態においては、鼻緒１０、又は後述する甲被部１１に中空部１２を設け、充填物２０を充填する以外にも、他の箇所にも中空部１２を任意に設け、充填物２０を充填することができる。
図８は、一例として、草履などの履物本体の外周にも中空部１２を設け、充填物２０を充填した状態を示している。
また、図９は、中空部１２に仕切りを設けるなどして複数の中空部１２に分け、その箇所により充填物２０の素材や、形状、色彩などに変化をもたせることができるようにされた一例を示している。
【００２７】
本発明の第二の実施形態は、サンダルまたは履物の甲被部１１であって、通常は伸縮性を有する軟質素材により構成されるものである。
図１０は、本発明の甲被部の基本的な構成の一例を示す図である。
また図１１は、中空部１２の断面の一例を示す図である。
【００２８】
図１０および図１１を参照すると、鼻緒１０の全長中の一部または全部にわたり透明または半透明の中空部１２が設けられている。
中空部１２は、透明または半透明の素材から形成されており、中空部１２の内部が外部から観察可能にされている。好ましくは、中空部１２は、伸縮性を有する塩化ビニル、ポリエチレン又はポリプロピレン等の軟質合成樹脂製の透明または半透明チューブから構成される。
中空部１２は、図１０に一例を示すようなサンダル形状など、足の甲にあたる部分が広い場合には、細すぎず、またずれにくくしかも痛くないように、甲に当たる部分は扁平に近い形状することが好ましい。
【００２９】
図１１は中空部１２の断面の一例を示す図であって、鼻緒の中空部１２は、断面の全周を透明または半透明にしてもよいが、履いたときに足の甲を透けて見えないようにするためには、上側に位置する部分のみを透明または半透明にしてもよい。
甲被部１１の全長中の一部または全部にわたり中空部１２が設けられ、中空部１２には一種以上の組合せからなる充填物２０が中空部１２内で可動状態に充填されている。
【００３０】
請求項２に記載の発明は、サンダルまたは履物の甲被部１１であって、請求項４に記載の発明は、サンダルまたは履物の甲被部１１が設けられた履物である。履物の形状や、素材、その他の構成は、様々なものを採用することができる。
【００３１】
次に、本発明の各実施形態において用いられる充填物２０について説明する。中空部１２に充填される充填物２０には、鉱物素材、樹脂素材、植物素材、その他の素材の内の一以上の素材からなる飾り片を含むことができる。これらを任意に組み合わせたものであってもよい。
【００３２】
鉱物素材には、金属、鉱物、石、砂、ガラスなどの様々な素材を含むことができる。装飾性のある金属や鉱物、着色等をした砂や、ガラス玉などを利用すれば、鉱物の彩りを楽しめる飾り片とすることができる。
また樹脂素材には、ビーズからなる飾り片を含むことができ、ビーズの彩りを楽しめる飾り片とすることができる。ビーズ以外の樹脂素材であってもよい。
また植物素材には、花びら、蕾み、葉、木片、紙などの様々名素材を含むことができる。それらは、乾燥させたドライフラワーなどを利用することができる。
また、その他素材として、貝殻からなる飾り片などを含むことができる。
【００３３】
また、飾り片などの充填物は、上記の実施例に限定されるものではなく、たとえば紙、繊維、金属箔、貴金属模造品、造花、その他の各種の飾り片や飾り糸などを含んでいてもよく、楕円形、三角、四角などの角形、長円形、星形、ハート形等の任意の形の飾り片を含んでいてもよい。
【００３４】
さらに、本発明の各実施形態において、中空１２部に充填される充填物２０には、水などの液体からなる液体充填物が充填されるようにしてもよい。
この場合には、第一には、無色あるいは着色された水などの液体を充填し、中空部１２内部で流動するようにしておくことにより、歩いた際には液体の動きが楽しめるだけではなく、液体に空気の泡が混入し動くことにより泡の動きが楽しめるようにすることができる。
また、第二には、無色あるいは着色された水などの液体を充填し、中空部１２内部で流動するようにしておくと共に、前述した鉱物素材、樹脂素材、植物素材、その他の素材からなる充填物２０を重点しておくことにより、歩いた際には液体の動きが楽しめるだけではなく、液体に混入された充填物２０が動くことにより重点物の動きが楽しめるようにすることができる。
また、液体を粘度の高いものとすることにより、流動する動きをゆっくりとしたものにすることもできる。
【００３５】
【発明の効果】
以上詳細に説明したように、本発明によれば、柔軟性を確保できると共に、充填物を外部から透視でき、多種多様な充填物を可動状態に充填することにより、装飾性に優れ、しかも歩く際などに充填物が動くという面白みのある効果がある鼻緒、甲被部、およびこれらを備えた草履その他の履物を提供することができる。
また、断面の全周を透明または半透明にすることもでき、あるいは履いたときに上側に位置する部分のみを透明または半透明にすることもできる鼻緒、甲被部、およびこれらを備えた草履その他の履物を提供することができる。
また、充填物として、固体、液体を含む、様々な素材、色彩、形状などからなるものを採用し、多様な装飾をすることが可能な鼻緒、甲被部、およびこれらを備えた草履その他の履物を提供することができる。
【図面の簡単な説明】
【図１】本発明の鼻緒の基本的な構成の一例を示す図である。
【図２】中空部１２の断面の一例を示す図である。
【図３】中空部１２の断面の一例を示す図である。
【図４】中空部１２の断面の一例を示す図である。
【図５】本発明の鼻緒の基本的な構成の一例を示す図である。
【図６】中空部１２の断面の一例を示す図である。
【図７】本発明の一対の履物の一例を示す斜視図である。
【図８】草履などの履物本体の外周にも中空部１２を設け、充填物２０を充填した状態を示す図である。
【図９】中空部１２に仕切りを設けるなどして複数の中空部１２に分け、その箇所により充填物２０の素材や、形状、色彩などに変化をもたせることができるようにされた一例を示す図である。
【図１０】本発明の甲被部の基本的な構成の一例を示す図である。
【図１１】中空部１２の断面の一例を示す図である。
【符号の説明】
１０  鼻緒
１１  甲被部
１２  中空部
２０  充填物
【図１】
2004267457.tif 000003
【図２】
2004267457.tif 000004
【図３】
2004267457.tif 000005
【図４】
2004267457.tif 000006
【図５】
2004267457.tif 000007
【図６】
2004267457.tif 000008
【図７】
2004267457.tif 000009
【図８】
2004267457.tif 000010
【図９】
2004267457.tif 000011
【図１０】
2004267457.tif 000012
【図１１】
2004267457.tif 000013